(57)【特許請求の範囲】
【請求項１】
着信メロディの音名を音声で入力すると共に、和音入力時は該和音を構成する複数の音符の音名を連続して音声で入力する音声入力手段と、
前記音声入力手段により音名が入力される毎に、既に登録されている音名データと比較して一致するものを探し出すことにより音声認識する音声認識手段と、
楽譜、音名及び音符を表示する表示部と、
前記楽譜を表示している前記表示部の画面に、前記音声認識手段で認識された一又は連続する複数の音声データによる一又は複数の音名を、前記表示部に前記楽譜と共に文字表示させる表示制御手段と、
前記表示部に前記楽譜と共に一の音名が文字表示されたときは、文字表示された一の音名に対応する一の音符の音の長さをキー入力し、和音を構成する複数の音名が表示されたときは、該複数の音名にそれぞれ対応する複数の音符の音の長さを連続してキー入力するキー入力手段と、
前記キー入力手段によりキー入力された一又は複数の音の長さと、その音の長さに対応する前記一又は複数の音名とにより、一つの音符データ、又は複数の音符データからなる一つの和音データを生成すると共に、前記表示画面の楽譜に前記一つの音符データ又は前記和音データの音符を表示する音符データ生成手段と、
前記音符データ生成手段により順次に生成された複数の音符データからなる、前記着信メロディの楽譜データを記憶する記憶部と、
着信時に、前記記憶部に記憶された楽譜データをメロディ波形信号に変換してスピーカから発音させる着信メロディ発音手段と
を有することを特徴とする携帯電話装置。
【請求項２】
前記キー入力手段は、少なくとも発呼時にダイヤルするために用いるキー入力部を構成する各種キーの一部を、楽譜で表す音の長さを示す複数の記号にそれぞれ割り当てて、所望の音の長さを、該所望の音の長さの記号に割り当てたキーを使用してキー入力することを特徴とする請求項１記載の携帯電話装置。
【請求項３】
携帯電話装置の着信時に着信を報知するための着信メロディを入力する入力方法において、
所望の着信メロディの一つの音符の音名を音声入力するか、又は所望の着信メロディの一つの和音を構成する複数の音符の音名を連続して音声入力する第１のステップと、
前記音声入力された前記音名を音声認識し、予め登録してある複数の音名データの中から一致する音名データを選択する第２のステップと、
前記第２のステップで選択された一又は複数の音名データの音名を、表示画面に文字表示させる第３のステップと、
前記第３のステップにより一の音名が文字表示されたときは、文字表示された一の音名に対応する一の音符の音の長さをキー入力し、和音を構成する複数の音名が表示されたときは、該複数の音名にそれぞれ対応する複数の音符の音の長さを連続してキー入力する第４のステップと、
前記第４のステップでキー入力された音符の音の長さと、前記文字表示された音名とからなる一つの音符データ、又は複数の音符データからなる一つの和音データを生成して記憶すると共に、前記表示画面の楽譜に前記一つの音符データ又は前記和音データの音符を表示する第５のステップと、
前記所望の着信メロディのすべての音符について、前記第１乃至第５のステップを繰り返して得られた複数の音符データからなる一つの楽譜データを記憶部に記憶する第６のステップと
を含むことを特徴とする着信メロディ入力方法。
【請求項４】
前記第２のステップは、前記第１のステップにより音声入力された前記音名が連続する同一音名であるときには、音名を音声認識し、かつ、連続数から音の高さを識別し、予め登録してある複数の音名データの中から一致する音の高さの音名データを選択することを特徴とする請求項３記載の着信メロディ入力方法。
【発明の詳細な説明】
【０００１】
【発明の属する技術分野】
本発明は携帯電話装置及びその着信メロディ入力方法に係り、特に着信をメロディ音で報知する携帯電話装置及びその着信メロディ入力方法に関する。
【０００２】
【従来の技術】
従来より知られている着信をメロディ音で報知する携帯電話装置では、ユーザ自身が好みのメロディを入力するために、音階、音の長さなどすべての情報をキーより入力するものが一般的である。しかし、この従来の携帯電話装置では、膨大なキー操作が必要となり、すべてのメロディを入力完了するまでに膨大な時間がかかってしまう。
【０００３】
そこで、キー操作を行わず、マイクから入力した音声でメロディ音を作成する携帯電話装置も従来より知られている（特開平１１−８８２１１号公報）。この従来の携帯電話装置は、マイクから人間のハミングする歌声をＡ／Ｄコンバータによりサンプリングしてメモリに蓄積し、着呼があった場合、ＣＰＵによりメモリに蓄えられたデータを読み出し、音階音源信号発生器によってオリジナルメロディ呼び出し音を作成し、この呼び出し音をスピーカから鳴らすようにしたものである。
【０００４】
また、従来、キー操作によらずに所望の音階を入力することができる他の携帯電話装置も提案されている（特開平１１−２２０５１８号公報）。この従来の携帯電話装置は、マイクに向かってユーザがメロディを口ずさみ、ユーザが発声したそのメロディをマイクにより音声信号に変換してディジタル信号に変換した後、演算部に供給し、演算部で数学的手段を用いて入力ディジタル信号の音階に相当する周波数成分を抽出し、抽出した音階情報を基に音階信号を生成し、この音階信号で音声出力装置を駆動するようにしたものである。
【０００５】
【発明が解決しようとする課題】
しかるに、上記の従来の携帯電話装置は、いずれもキー操作で音階を入力しないので、メロディ音の入力完了までの時間を短縮することができるが、いずれもマイクに向かってユーザがメロディを音声入力する構成であるため、ユーザ個々の音感や発声により出力されるメロディ音が左右され、同じメロディであっても、ユーザによっては異なる音階のメロディが出力される可能性があり、着信メロディの入力が正確にできないという問題がある。
【０００６】
更に、上記の従来装置では、マイクに向かってユーザが口ずさんだメロディを入力するようにしているため、和音対応の着信メロディの入力ができないという問題もある。
【０００７】
本発明は以上の点に鑑みなされたもので、  短時間に、しかも正確に着信メロディを入力し得る携帯電話装置及びその着信メロディ入力方法を提供することを目的とする。
【０００８】
また、本発明の他の目的は、和音対応の着信メロディを入力し得る携帯電話装置及びその着信メロディ入力方法を提供することにある。
【０００９】
【課題を解決するための手段】
上記の目的を達成するため、本発明の携帯電話装置は、着信メロディの音名を音声で入力すると共に、和音入力時は和音を構成する複数の音符の音名を連続して音声で入力する音声入力手段と、音声入力手段により音名が入力される毎に、既に登録されている音名データと比較して一致するものを探し出すことにより音声認識する音声認識手段と、楽譜、音名及び音符を表示する表示部と、楽譜を表示している表示部の画面に、音声認識手段で認識された一又は連続する複数の音声データによる一又は複数の音名を、表示部に楽譜と共に文字表示させる表示制御手段と、表示部に楽譜と共に一の音名が文字表示されたときは、文字表示された一の音名に対応する一の音符の音の長さをキー入力し、和音を構成する複数の音名が表示されたときは、複数の音名にそれぞれ対応する複数の音符の音の長さを連続してキー入力するキー入力手段と、キー入力手段によりキー入力された一又は複数の音の長さと、その音の長さに対応する一又は複数の音名とにより、一つの音符データ、又は複数の音符データからなる一つの和音データを生成すると共に、表示画面の楽譜に一つの音符データ又は和音データの音符を表示する音符データ生成手段と、音符データ生成手段により順次に生成された複数の音符データからなる、着信メロディの楽譜データを記憶する記憶部と、着信時に、記憶部に記憶された楽譜データをメロディ波形信号に変換してスピーカから発音させる着信メロディ発音手段とを有する構成としたものである。
【００１２】
この発明では、複数の音符の音名を連続して音声で入力し、表示部に楽譜と共に文字表示されている音名が複数連続しているときは、各音名に対応する音の長さを連続してキー入力することにより、複数の音符からなる一つの和音の音符データを生成するようにしたため、音名及び音の長さのすべてをキー入力で行う従来装置に比べて、キー入力回数を低減することができ、また、着信メロディ音をすべて音声入力する従来装置に比べて正確な音名と音の長さを示す一つの和音の音符データを得ることができる。
【００１３】
また、本発明装置は、キー入力手段を、少なくとも発呼時にダイヤルするために用いるキー入力部を構成する各種キーの一部を、楽譜で表す音の長さを示す複数の記号にそれぞれ割り当てて、所望の音の長さを、所望の音の長さの記号に割り当てたキーを使用してキー入力することが望ましい。着信メロディ専用のキー入力部を有しないので、携帯電話装置が大型化したりすることを防止できるためである。
【００１４】
また、上記の目的を達成するため、本発明の着信メロディ入力方法は、所望の着信メロディの一つの音符の音名を音声入力するか、又は所望の着信メロディの一つの和音を構成する複数の音符の音名を連続して音声入力する第１のステップと、音声入力された音名を音声認識し、予め登録してある複数の音名データの中から一致する音名データを選択する第２のステップと、第２のステップで選択された一又は複数の音名データの音名を、表示画面に文字表示させる第３のステップと、第３のステップにより一の音名が文字表示されたときは、文字表示された一の音名に対応する一の音符の音の長さをキー入力し、和音を構成する複数の音名が表示されたときは、複数の音名にそれぞれ対応する複数の音符の音の長さを連続してキー入力する第４のステップと、第４のステップでキー入力された音符の音の長さと、文字表示された音名とからなる一つの音符データ、又は複数の音符データからなる一つの和音データを生成して記憶すると共に、表示画面の楽譜に一つの音符データ又は和音データの音符を表示する第５のステップと、所望の着信メロディのすべての音符について、第１乃至第５のステップを繰り返して得られた複数の音符データからなる一つの楽譜データを記憶部に記憶する第６のステップとを含むことを特徴とする。
【００１７】
この発明では、複数の音符の音名を連続して音声で入力し、表示部に楽譜と共に文字表示されている音名が複数連続しているときは、各音名に対応する音の長さを連続してキー入力することにより、複数の音符からなる一つの和音の音符データを生成するようにしたため、音名及び音の長さのすべてをキー入力で行う従来装置に比べて、キー入力回数を低減することができ、また、着信メロディ音をすべて音声入力する従来装置に比べて正確な音名と音の長さを示す一つの和音の音符データを得ることができる。
【００１８】
また、上記の目的を達成するため、本発明方法は、第２のステップは、第１のステップにより音声入力された音名が連続する同一音名であるときには、音名を音声認識し、かつ、連続数から音の高さを識別し、予め登録してある複数の音名データの中から一致する音の高さの音名データを選択するようにしたものである。この発明では、同一音名であってもオクターブ異なる音の高さの音名も正確に音声認識することができる。
【００１９】
【発明の実施の形態】
次に、本発明の実施の形態について、図面と共に説明する。図１は本発明になる携帯電話装置の一実施の形態のブロック図を示す。同図中、携帯電話装置は、制御部１１と、ユーザの音声を収音するマイク１２と、マイク１２から入力された電気信号（音声信号）をディジタル信号に変換する音声処理部１３と、音声処理部１３でディジタル信号に変換された音声データを基に、入力された音声が予め登録されている音声データのどれと一致するのかを判断し、その判断結果を制御部１１に入力する音声認識部１４と、制御部１１により得られたデータを記憶し、また記憶データを制御部１１へ出力する記憶部１５と、音符変換部１６と、演奏部１７と、演奏部１７から入力されたメロディ波形の音声、すなわちメロディ音を発音するスピーカ１８と、キー入力部１９と、表示部２０とより構成されている。
【００２０】
制御部１１は、携帯電話装置全体を統括的に制御し、必要に応じて記憶部１５にアクセスし、データ読み出し／データ書き込みを行う。音符変換部１６は、音声認識部１４で判断された音声データと、キー入力部１９からの入力信号とにより、楽譜上の音符データに変換する。演奏部１７は、既に登録済みの楽譜データに応じたメロディ波形を、スピーカ１８に供給する。キー入力部１９は、少なくとも携帯電話装置の発呼時にダイヤルなどのために使用する各種のキーからなるが、本実施の形態では、更にこれら各種キーの一部が、後述するように音符の音の長さを示す複数の記号のそれぞれについて予め割り当てられており、ユーザが押下したキーに応じたキー入力信号を制御部１１に伝える。表示部２０は、制御部１１から指示された内容を表示画面に表示する。
【００２１】
なお、図１では図示を省略したが、携帯電話装置は、基地局との間で無線通信するための携帯電話装置固有の回路部を有していることは勿論である。また、スピーカ１８は、相手端末からの相手音声を発音できるように構成することも可能である。
【００２２】
次に、本実施の形態の動作、すなわち着信メロディ入力方法について、図２のフローチャート及び図３の説明図を併せ参照して説明する。まず、開始の状態では、マイク１２からの音声入力待ちの状態となっている（ステップＳ１）。この状態で、ユーザがマイク１２に向かって音名を示す音声、例えば図３（Ｃ）に１０１で示すように「ド」と発声すると、この音名を示す音声はマイク１２により音響−電気変換されて、音声信号に変換された後、音声処理部１３でディジタル信号の音声データとされて音声認識部１４に入力される（ステップＳ２）。
【００２３】
音声認識部１３は入力された音声データを音声認識して音名を示すデータを得、このデータに一致するものを既に登録されている音名データの中から探し出し、見付かった場合は該当する音名データ（音名の文字）を制御部１１に通知する（ステップＳ３）。制御部１１は、音声認識部１３から入力された音名データを表示データに変換して表示部２０の画面に表示させる（ステップＳ４）。従って、この場合は、図３（Ｄ）に２０１で示すように、表示部２０の画面には「ド」という音名を示す文字が表示される。
【００２４】
次に、携帯電話装置は、入力された「ド」という音名の音の長さの指定待ち（キー入力待ち）の状態になる。ここで、キー入力部１９の各種キーのうち、図３（Ｂ）に示すように、数字キーの「７」（以下、「７キー」という）が４分音符、数字キーの「８」（以下、「８キー」という）が８分音符、数字キーの「９」（以下、「９キー」という）が１６分音符、「＊キー」が休符、数字キーの「０」（以下、「０キー」という）が付点、「＃キー」がクリア（音符消去）に割り当てられているものとする。
【００２５】
ユーザは上記のキー入力待ちの状態で例えば８分音符を指定したい場合は、キー入力部１９の「８キー」を押下することで音符選択を行う（ステップＳ５）。すると、制御部１１は表示部２０の画面上の楽譜の「ド」の位置に、図３（Ａ）及び（Ｄ）に２０２で示すように、８分音符を表示させる画像データを生成して表示部２０に供給する（ステップＳ６）。これにより、第１音の入力が終了する。
【００２６】
なお、ステップＳ６の楽譜表示のときには、音符変換部１６が、制御部１１を介してキー入力部１９から入力されるキー入力データ（この場合、「８キー」のデータ）と、制御部１１を介して音声認識部１４から入力される音名データ（この場合、「ド」のデータ）とに基づいて、第１音の音符データを生成し、これを内部の記憶部又は制御部１１内の記憶部に一時記憶しておく。
【００２７】
続いて、メロディ音の入力を終了するかどうか画面に表示させる選択入力待ち状態となり（ステップＳ７）、ユーザはメロディ音を引き続き入力する場合は、上記のステップＳ２〜Ｓ６の動作を繰り返す。例えば、ユーザはマイク１２に向かって、図３（Ｃ）に１０３で示すように、次に「レ」を発声することにより、制御部１１は、音声認識部１３から入力された「レ」の音名データを表示データに変換して表示部２０の画面に表示させる（ステップＳ２〜Ｓ４）。従って、この場合は、図３（Ｄ）に２０３で示すように、表示部２０の画面には「レ」という文字が表示される。
【００２８】
次に、携帯電話装置は、入力された「レ」という音名の音の長さとして、図３（Ｃ）に１０４及び１０５で示すように、ユーザにより「９キー」と「０キー」が連続して押下されると、制御部１１は表示部２０の画面に、図３（Ａ）と図３（Ｄ）に２０４及び２０５で示すように、レの下の楽譜上にレの音名の付点１６分音符を表示する（ステップＳ５、Ｓ６）。また、このとき、音符変換部１６により、第２音であるレの音名の付点１６分音符の音符データが生成された一時記憶される。
【００２９】
更に、続けて、ユーザはマイク１２に向かって、図３（Ｃ）に１０６で示すように、次に「ミ」を発声することにより、制御部１１は、音声認識部１３から入力された「ミ」の音階データを表示データに変換して表示部２０の画面に表示させる（ステップＳ２〜Ｓ４）。従って、この場合は、図３（Ｄ）に２０６で示すように、表示部２０の画面には「ミ」という文字が表示される。
【００３０】
次に、携帯電話装置は、入力された「ミ」という音名の音の長さとして、図３（Ｃ）に１０７で示すように、ユーザにより「７キー」が押下されると、制御部１１は表示部２０の画面に、図３（Ａ）と図３（Ｄ）に２０７で示すように、ミの文字の下の楽譜上にミの音名の４分音符を表示する（ステップＳ５、Ｓ６）。また、このとき音符変換部１６により、第３音の音符データが生成されて一時記憶される。
【００３１】
以下、上記と同様の動作が繰り返され、すべてのメロディ音の入力を終了すると、キー入力部１９の終了ボタンの押下により、制御部１１はメロディ音の入力終了と判断し、いままで入力された複数の音名データとキー入力データとにより、音符変換部１６で生成された複数の音符データを、着信メロディの楽譜データとして記憶部１５に格納し（ステップＳ８）、着信メロディの入力モードを終了する（ステップＳ９）。
【００３２】
このように、本実施の形態によれば、着信メロディの音名はユーザの音声により入力し、音符の長さはキー入力するようにしているので、着信メロディをすべてキー入力で入力する従来装置に比べてキー入力操作の回数が減り、よって、短時間で着信メロディを入力することができ、また、着信メロディをすべてマイクを利用して入力する従来装置に比べて、どのようなユーザであっても着信メロディを正確に入力することができる。
【００３３】
なお、携帯電話装置の着信時には、図１の制御部１１は着信信号に基づき、記憶部１５に格納されている楽譜データを読み出し、これを演奏部１７に供給し、ここで楽譜データに応じたメロディ波形の音声信号に変換させてスピーカ１８よりメロディ音として発音させる。
【００３４】
次に、本発明の他の実施の形態について説明する。図４は本発明になる着信メロディ入力方法の他の実施の形態の説明図を示す。この実施の形態の携帯電話装置のブロック構成は、図１に示したブロック図と同じであり、また、キー入力部１９のキー割り当ても図４（Ｂ）に示すように、図３（Ｂ）と同じであるが、この実施の形態は、着信メロディとして和音を入力できるようにした点に特徴がある。
【００３５】
すなわち、ユーザはマイク１２に向かって、図４（Ｃ）に３０１で示すように、希望する音名の「ド・ソ」と発声し、音声認識が成功すると、図４（Ｄ）に４０１で示すように、表示部２０の画面に表示される楽譜の上列に「ドソ」の文字が表示される。続いて、ユーザは図４（Ｃ）に３０２、３０３で示すように、キー入力部１９中の「８キー」と「７キー」を連続して押下すると、図４（Ａ）及び図４（Ｄ）に４０２、４０３で示すように、表示部２０の画面の楽譜上の最初に音声入力された「ド」の位置に「８キー」押下による８分音符が、また次に音声入力された「レ」の位置に「７キー」押下による４分音符がそれぞれ表示される。
【００３６】
次に、ユーザがマイク１２に向かって、図４（Ｃ）に３０４で示すように、「レ」と発声し、音声認識が成功すると、図４（Ｄ）に４０４で示すように、表示部２０の画面に表示される楽譜の上列に「レ」の文字が表示される。続いて、ユーザは図４（Ｃ）に３０５、３０６で示すように、キー入力部１９中の「９キー」と「０キー」を連続して押下すると、図４（Ａ）及び図４（Ｄ）に４０５、４０６で示すように、表示部２０の画面の楽譜上の「レ」の位置に付点１６分音符が表示される。
【００３７】
続いて、ユーザはマイク１２に向かって、図４（Ｃ）に３０７で示すように、「ミ・ラ」と発声し、音声認識が成功すると、図４（Ｄ）に４０７で示すように、表示部２０の画面に表示される楽譜の上記「レ」の次の上列位置に「ミラ」の文字が表示される。
【００３８】
続いて、ユーザは図４（Ｃ）に３０８、３０９で示すように、キー入力部１９中の「７キー」と「９キー」を連続して押下すると、図４（Ａ）及び図４（Ｄ）に４０８、４０９で示すように、表示部２０の画面の「ミラ」の文字の下の楽譜上の位置に、最初に音声入力された「ミ」の位置に「７キー」押下による４分音符が、また次に音声入力された「ラ」の位置に「９キー」押下による１６分音符がそれぞれ表示される。以下、上記と同様の動作が、着信メロディのすべてを入力するまで行われる。
【００３９】
このように、この実施の形態によれば、２つ以上の音名を連続的に発声することにより、楽譜上の同時点の位置に２音以上の音符を入力することができ、現在主流となりつつある和音対応の着信メロディの入力が正確な音階で、しかも比較的短時間でできる。なお、この実施の形態も、音符変換部１６で音符データが生成され、着信メロディの入力の終了により、記憶部１５に、複数の音符データが時系列的に合成された楽譜データが記憶される。
【００４０】
なお、本発明は上記の実施の形態に限定されるものではなく、例えば同一音名でオクターブ異なる音符の入力は、発声する同一音名の連続数の違いで区別させるようにすることもできる。
【００４１】
【発明の効果】
以上説明したように、本発明によれば、入力しようとする所望の着信メロディの音符の音名と音の長さのうち、音名入力は音声で行って音声認識により正確な音の高さの音名データを得ると共に、音の長さはキー入力することにより正確な音の長さを示すデータを得て、これらにより一つの音符データを生成することにより、音名及び音の長さのすべてをキー入力で行う従来装置に比べて、キー入力回数を低減するようにしたため、着信メロディの入力時間を短縮できると共に入力作業を簡略化できる。
【００４２】
また、本発明によれば、キー入力により正確な音の長さを示すデータを得て、上記の音名データと共に一つの音符データを生成することにより、着信メロディ音をすべて音声入力する従来装置に比べて正確な音名と音の長さを示す音符データを得るようにしたため、着信メロディ音をすべて音声入力する従来装置に比べて、正確な着信メロディ音を得ることができる。
【００４３】
また、本発明によれば、複数の音符の音名を連続して音声で入力し、表示部に楽譜と共に文字表示されている音名が複数連続しているときは、各音名に対応する音の長さを連続してキー入力することにより、複数の音符からなる一つの和音の音符データを生成するようにしたため、着信メロディ音をすべて音声入力する従来装置では困難であった和音の音符データを得ることができ、よって、和音対応の着信メロディの入力が、簡単にできる。
【図面の簡単な説明】
【図１】本発明装置の一実施の形態のブロック図である。
【図２】本発明方法の一実施の形態の動作説明用フローチャートである。
【図３】本発明方法の一実施の形態の表示画面、キー割当、入力及び表示例を示す図である。
【図４】本発明方法の他の実施の形態の表示画面、キー割当、入力及び表示例を示す図である。
【符号の説明】
１１  制御部
１２  マイク
１３  音声処理部
１４  音声認識部
１５  記憶部
１６  音符変換部
１７  演奏部
１８  スピーカ
１９  キー入力部
２０  表示部
【図１】
0003570332.tif 000002
【図２】
0003570332.tif 000003
【図３】
0003570332.tif 000004
【図４】
0003570332.tif 000005